(57)【要約】【課題】  実際にコピー動作を行なう以前に、その対象となる情報がコピー可能であるか否かを知ることが可能な情報記録媒体及びそのための記録装置、再生装置を提供する。【解決手段】  相互に独立した複数の記録情報片と、前記個々の記録情報片に対応し、前記個々の記録情報片が複製禁止であるか否かを規定する複数の個別複製情報片と、個々の集合により複数階の階層構造を構成し、前記複数の記録情報片を再生するための制御方法を規定する複数の制御情報片と、を有し、前記複数の制御情報片は、それぞれ自己が制御対象とする前記複数の記録情報片の全部又は一部が複製禁止であるか否かを規定する集合複製情報片を含むように構成する。【選択図】      図３
2006079817.tif 000002
【特許請求の範囲】
【請求項１】
相互に独立した複数の記録情報片と、
前記個々の記録情報片に対応し、前記個々の記録情報片が複製禁止であるか否かを規定する複数の個別複製情報片と、
個々の集合により複数階の階層構造を構成し、前記複数の記録情報片を再生するための制御方法を規定する複数の制御情報片と、を有し、
前記複数の制御情報片は、それぞれ自己が制御対象とする前記複数の記録情報片の全部又は一部が複製禁止であるか否かを規定する集合複製情報片を含むことを特徴とする情報記録媒体。
【請求項２】
相互に独立した複数の記録情報片と、前記個々の記録情報片に対応し、前記個々の記録情報片が複製禁止であるか否かを規定する複数の個別複製情報片と、個々の集合により複数階の階層構造を構成し、前記複数の記録情報片を再生するための制御方法を規定する複数の制御情報片と、を有し、前記複数の制御情報片は、それぞれ自己が制御対象とする前記複数の記録情報片の全部又は一部が複製禁止であるか否かを規定する集合複製情報片を含む情報記録媒体の再生装置において、
複製指令及び複製の対象となる情報の指定を受け取る複製指令入力手段と、
前記複製の対象となる情報に関連する前記集合複製情報片のうち、上位の階層の制御情報片に含まれるものから順に検出する複製情報検出手段と、
前記複製情報検出手段により、制御対象とする全ての記録情報片が複製禁止であることが検出された場合に、直ちに複製禁止である旨を使用者に告知する告知手段と、
を有することを特徴とする情報記録媒体の再生装置。
【請求項３】
前記複製情報検出手段により、制御対象とする全ての記録情報片が複製可能であることが検出された場合に、直ちに前記複製の対象となる情報を出力する出力手段を有することを特徴とする請求項２記載の再生装置。
【請求項４】
前記複製情報検出手段は、制御対象とする複数の記録情報片の一部が複製禁止であることを検出した場合は、さらに下位の階層の制御情報片に含まれる集合複製情報片を検出することを特徴とする請求項２乃至３記載の再生装置。
【請求項５】
最下位の制御情報片が制御対象とする複数の記録情報片の一部が複製禁止であることを前記複製情報検出手段が検出した場合は、前記個別複製情報片を参照し、複製可能と規定されている記録情報片のみを出力する出力手段を有することを特徴とする請求項４記載の再生装置。
【請求項６】
相互に独立した複数の記録情報片を作成する第１の情報片作成手段と、
前記個々の記録情報片が複製禁止か否かを規定する複数の個別複製情報片を作成する第２の情報片作成手段と、
前記複数の記録情報片を再生するための制御方法を規定する複数の制御情報片を作成する第３の情報片作成手段と、
前記複数の制御情報片を集合させることにより、前記制御情報片を複数階の階層構造に構成する階層構造構成手段と、
前記個別複製情報片を参照し、個々の前記制御情報片について当該制御情報片が制御対象とする複数の前記記録情報片の全部又は一部が複製禁止であるか否かを規定する集合複製情報片を作成する第４の情報片作成手段と、
前記記録情報片、前記個別複製情報片、前記制御情報片及び前記集合複製情報片を情報記録媒体に形成する形成手段と、
を有することを特徴とする情報記録装置。
【発明の詳細な説明】
【技術分野】
【０００１】
本発明は、ＤＶＤに代表される画像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属し、特にかかる情報記録媒体に記録された情報のコピー制御に関する。
【背景技術】
【０００２】
従来は、音声情報をディジタルで記録、再生可能な記録媒体として、いわゆるＣＤ（Compact Disk）、ＤＡＴ(Digital Audio Tape)が知られている。これらＣＤ、ＤＡＴのようにディジタル再生が可能な記録媒体においては、ディジタル信号に適合したディジタルインターフェースを有する再生装置や録音装置等を用いて記録情報のディジタルコピーが可能となる。しかし、このようなディジタルコピーが無制限に許されると、音質劣化の無い複製情報が際限無く頒布されることになり、著作権者の権利を損なうことになる。その一方で、当該情報を世間に広く頒布する目的からディジタルコピーを許可したい内容のソフトウェアも存在する。
【０００３】
既にＤＡＴにおいては、無制限なディジタルコピーを防止するためのコピー管理システム(Serial Copy Management System) （以下、「ＳＣＭＳ」と呼ぶ）が採用されている。このシステムでは、ディジタルコピーの禁止、許可を示す２ビットのコピーフラグをある時間毎にオーディオデータに多重録音する。コピーフラグの内容は例えば以下のように定義されている。
【０００４】
００：コピー禁止
１０：一回のみコピー可
１０：（空き）
１１：コピー可
以下、２台のＤＡＴを用いてコピーを行なう場合に上記システムによってどのような処理が行なわれるかを説明する。まず、コピーフラグが「００」の場合、再生側のＤＡＴはその情報がコピー禁止であることをディジタルインターフェース（ディジタル出力部）に告知する。ディジタルインターフェースは、そのデータがコピー禁止とされていることを示す情報を一定期間毎に再生オーディオデータ中に多重して録音側ＤＡＴに送る。録音側ＤＡＴは、送信されたデータ中にコピー禁止を示す情報が含まれていることを検出し、送信された再生オーディオデータの録音を行なわないこととする。このようにして、ディジタルコピーが防止される。
【０００５】
次に、コピーフラグが「０１」の場合、コピーは一回に限り許可される。この場合、再生側ＤＡＴはそのデータが一回のみコピー可能であることをディジタルインターフェースに告知する。ディジタルインターフェースは、そのデータが一回のみコピー可能とされていることを示す情報を再生オーディオデータの一定期間毎に録音側ＤＡＴに送る。録音側ＤＡＴは、送信されたデータ中に一回のみコピー可能であることを示す情報が含まれていることを検出すると、送信されたデータに含まれる上記フラグを「００」（コピー禁止）に変更し、録音を行なう。このようにすると、このＤＡＴから他のＤＡＴにコピーする際には上記フラグがコピー禁止を示す「００」になっているので、ディジタルコピーすることができない。即ち、このＤＡＴを親として再度ディジタルコピーすることはできない。このようにして、一回のみコピーが許容され、それ以上のディジタルコピーは禁止される。
【０００６】
次に、コピーフラグが「１１」の場合、再生側のＤＡＴはその情報がコピー許可に設定されていることをディジタルインターフェースに告知する。ディジタルインターフェースは、そのデータがコピー許可とされていることを示す情報を再生オーディオデータの一定期間毎に録音側ＤＡＴに送る。録音側ＤＡＴは、送信されたデータ中にコピー許可を示す情報が含まれていることを検出し、送信された再生オーディオデータの録音を行う。このようにして、ディジタルコピーが行なわれる。
【０００７】
さて、ＤＶＤの場合もディジタル出力が可能なため、ＤＡＴの場合と同様に無制限なディジタルコピーを防止する必要がある。ＤＶＤにおいても、基本的に上記ＳＣＭＳの手法が適用される。即ち、ＤＶＤにおいても、記録される映像又は音声情報の単位毎に上述のようなコピーフラグが設定される。
【発明の開示】
【発明が解決しようとする課題】
【０００８】
しかしながら、このように各情報単位毎にコピーフラグが設定されていても、それらの情報がコピー禁止、一回のみコピー許可、又は、回数制限なくコピー許可のいずれに設定されているかは、その情報単位をコピーするために再生を試みなければ知ることができない。従って、複数の情報単位を含むある一定の長さの情報を他の記録媒体にコピーした場合、それに含まれるいくつかの情報単位がコピー禁止に設定されていれば、その部分が欠落した形で他の記録媒体にコピーされているという事態も起こりうる。このように、実際にコピー動作を行なってみなければコピーの可能か否か分からないというのでは、無駄なコピー動作を行なうことになる場合もあり好ましくない。
【０００９】
このような無駄なコピーを防止するための対策として、実際にコピーが行なわれているか否かを再生側又は記録側の装置が表示してユーザーに告知するようにシステムを構成することも考えられる。しかし、その場合であってもやはり実際にコピーを開始してからでなくてはコピーの可否を知ることはできない。即ち、実際にコピーを開始する以前に目的の情報がコピー可能であるか否かを知ることはできないのである。
【００１０】
そこで、本発明の課題は、実際にコピー動作を行なう以前に、その対象となる情報がコピー可能であるか否かを知ることが可能な情報記録媒体及びそのための記録装置、再生装置を提供することにある。
【課題を解決するための手段】
【００１１】
以上の課題に鑑み、請求項１記載の発明は、情報記録媒体において、相互に独立した複数の記録情報片と、前記個々の記録情報片に対応し、前記個々の記録情報片が複製禁止であるか否かを規定する複数の個別複製情報片と、個々の集合により複数階の階層構造を構成し、前記複数の記録情報片を再生するための制御方法を規定する複数の制御情報片と、を有し、前記複数の制御情報片は、それぞれ自己が制御対象とする前記複数の記録情報片の全部又は一部が複製禁止であるか否かを規定する集合複製情報片を含むように構成する。
【００１２】
上記のように構成された情報記録媒体によれば、複数の記録情報片を再生するための制御情報片が複数階の階層構造に構成されており、個々の制御情報片は、自身が制御対象とする複数の記録情報片の全部又は一部が複製禁止であるか否かを規定する集合複製情報片を含んでいる。従って、各階層において制御対象とされる単位毎に複製の可否を規定することができ、効率的なコピー制御が可能となる。
【００１３】
また、請求項２記載の発明は、相互に独立した複数の記録情報片と、前記個々の記録情報片に対応し、前記個々の記録情報片が複製禁止であるか否かを規定する複数の個別複製情報片と、個々の集合により複数階の階層構造を構成し、前記複数の記録情報片を再生するための制御方法を規定する複数の制御情報片と、を有し、前記複数の制御情報片は、それぞれ自己が制御対象とする前記複数の記録情報片の全部又は一部が複製禁止であるか否かを規定する集合複製情報片を含む情報記録媒体の再生装置において、複製指令及び複製の対象となる情報の指定を受け取る複製指令入力手段と、前記複製の対象となる情報に関連する前記集合複製情報片のうち、上位の階層の制御情報片に含まれるものから順に検出する複製情報検出手段と、前記複製情報検出手段により、制御対象とする全ての記録情報片が複製禁止であることが検出された場合に、直ちに複製禁止である旨を使用者に告知する告知手段と、を有するように構成する。
【００１４】
上記のように構成された再生装置によれば、複製情報検出手段は、階層化された制御情報片に含まれる集合複製情報片を上位の階層から順に検出する。また、告知手段は、ある制御情報片が制御対象とする全ての記録情報片が複製禁止である場合には、直ちに複製禁止である旨を告知する。従って、使用者は複製不可であることを直ちに知ることができる。
【００１５】
また、請求項３記載の発明によれば、請求項２記載の再生装置において、前記複製情報検出手段により、制御対象とする全ての記録情報片が複製可能であることが検出された場合に、直ちに前記複製の対象となる情報を出力する出力手段を有するように構成する。
【００１６】
上記のように構成された再生装置によれば、ある制御情報片が制御対象とする全ての記録情報片が複製可能であることが検出された場合には、出力手段は直ちに前記複製の対象となる情報を出力する。従って、迅速に複製作業を行うことができる。
【００１７】
また、請求項４記載の発明によれば、請求項２乃至３記載の再生装置において、前記複製情報検出手段は、制御対象とする複数の記録情報片の一部が複製禁止であることを検出した場合は、さらに下位の階層の制御情報片に含まれる集合複製情報片を検出するように構成する。
【００１８】
上記のように構成された再生装置によれば、ある制御情報片が制御対象とする複数の記録情報片の一部が複製禁止であることを検出した場合は、複製情報検出手段はさらに下位の階層の制御情報片に含まれる集合複製情報片を検出する。従って、全ての記録情報片が複製禁止又は複製可能である制御情報片を見つけた時点で直ちに複製を開始し、又は複製不能であることを告知できるので、効率的な複製制御が可能となる。
【００１９】
また、請求項５記載の発明によれば、請求項４記載の再生装置において、最下位の制御情報片が制御対象とする複数の記録情報片の一部が複製禁止であることを前記複製情報検出手段が検出した場合は、前記個別複製情報片を参照し、複製可能と規定されている記録情報片のみを出力する出力手段を有するように構成する。
【００２０】
上記のように構成された再生装置によれば、最下位の制御情報片が制御対象とする複数の記録情報片の一部が複製禁止であることを前記複製情報検出手段が検出した場合は、出力手段は前記個別複製情報片を参照し、複製可能と規定されている記録情報片のみを出力する。従って、複製可能な部分のみを確実に複製することができる。
【００２１】
また、請求項６記載の発明によれば、相互に独立した複数の記録情報片を作成する第１の情報片作成手段と、前記個々の記録情報片が複製禁止か否かを規定する複数の個別複製情報片を作成する第２の情報片作成手段と、前記複数の記録情報片を再生するための制御方法を規定する複数の制御情報片を作成する第３の情報片作成手段と、前記複数の制御情報片を集合させることにより、前記制御情報片を複数階の階層構造に構成する階層構造構成手段と、前記個別複製情報片を参照し、個々の前記制御情報片について当該制御情報片が制御対象とする複数の前記記録情報片の全部又は一部が複製禁止であるか否かを規定する集合複製情報片を作成する第４の情報片作成手段と、前記記録情報片、前記個別複製情報片、前記制御情報片及び前記集合複製情報片を情報記録媒体に形成する形成手段と、を有するように構成する。
【００２２】
上記のように構成された記録装置によれば、第１乃至第３の情報片作成手段は、それぞれ記録情報片、個別複製情報片、及び、制御情報片を作成し、階層構造構成手段は制御情報片を階層化する。第４の情報片作成手段は制御情報片のそれぞれについて集合制御情報片を作成し、形成手段はこれらの情報片を記録媒体上に形成する。従って、階層化されたそれぞれの制御情報毎に複製の可否を規定することができる。
【発明を実施するための最良の形態】
【００２３】
次に、本発明に好適な実施の形態について説明する。なお、以下に説明する実施の形態は、上記ＤＶＤに対して本発明を適用した実施の形態について説明するものである。
【００２４】
なお、以下の実施の形態においては、下記リストの左側に示した特許請求の範囲における各構成要素の一例が、下記リストの右側に示した要素から夫々構成されている。
【００２５】
記録情報片：ＶＯＢユニット
個別複製情報片：ビデオコピー情報及びオーディオコピー情報
制御情報：ＰＧＣ及びそれより上位階層制御情報（コントロールデータ等）
集合複製情報片：コピーフラグ
［１］情報記録媒体の実施の形態
始めに、本発明が適用された情報記録媒体の実施の一形態であるＤＶＤの物理的及び論理的な構成並びにその動作について説明する。
【００２６】
始めに、映像情報及び音声情報のＤＶＤ上における記録フォーマット（物理的記録フォーマット）について、図１を用いて説明する。
【００２７】
図１に示すように、実施形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ３（ＶＴＳ＃１乃至ＶＴＳ＃ｎ）に分割されて記憶されている。ここで、ＶＴＳ（Video Title Set ）とは、関連する（音声、サブピクチャのストリーム数や仕様、対応言語などの属性が同じ）タイトル（映画等の、製作者が視聴者に提示しようとする一つの作品）を一まとめにしたセット（まとまり）であり、より具体的には、例えば、一本の同じ映画について、異なる言語の複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルのメニューや、違法コピー防止のための情報、又は夫々のタイトルにアクセスするためのアクセステーブル等、当該ＤＶＤ１に記録される映像情報及び音声情報の全体に係わる情報が記録される。
【００２８】
一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００２９】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information ）が記録される。各ＶＯＢ１０には、映像情報及び音声情報の実体部分（制御情報以外の映像又は音声そのもの）が記録されている。一のＶＯＢ１０は、夫々にＩＤ番号を有する複数のセル２０により構成されている。ここで、一のＶＯＢ１０は、複数のセル２０により完結するように構成されており、一のセル２０が二のＶＯＢ１０に跨がることはない。
【００３０】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）の夫々を含む情報単位である。
【００３１】
そして、一のＶＯＢユニット３０は、ナビパック４１と、映像情報としてのビデオパック４２と、音声情報としてのオーディオパック４３と、副映像情報としてのサブピクチャパック４４とにより構成されている。ここで、ビデオパック４２としては画像データの含まれるパケットが記録され、オーディオパック４３としては音声データの含まれるパケットが記録される。また、サブピクチャパック４４としては副映像としての文字や図形等のグラフィックデータの含まれるパケットが記録される。なお、ＤＶＤ１に記録可能な音声は８種類であり、記録可能な副映像の種類は３２種類であることが規格上定められている。
【００３２】
また、一のＶＯＢユニット３０に対応する再生時間（一のナビパック４１と当該一のナビパック４１に隣接するナビパック４１との間に記録されているデータに対応する再生時間）は、０．４秒以上の長さを有するように記録される。
【００３３】
さらに、一のＶＯＢＵにおいてナビパック４１は必ず先頭に存在するが、ビデオパック４２、オーディオパック４３、サブピクチャパック４４の夫々は必ずしも存在する必要はなく、存在する場合もその数や順序は自由である。
【００３４】
最後に、ナビパック４１は、表示させたい映像や音声を検索するための検索情報（具体的には、当該表示させたい映像や音声が記録されているＤＶＤ１上のアドレス等）であるＤＳＩ（Data Search Information ）パケット５１と、ＤＳＩパケット５１に基づいて検索してきた映像や音声等を表示する際の表示制御に関する情報であるＰＣＩ（Presentation Control Information）パケット５０とにより構成され、更に、一のＶＯＢＵに含まれている全てのビデオデータ４２は、１個以上のＧＯＰ（Group Of Picture）５２により構成されている。なお、ＰＣＩデータ５０には、視聴者によって選択される選択項目に対して、その項目が選択された時の表示や動作を定義したハイライト情報が含まれている。ハイライト情報によって、例えば視聴者が選択すべき項目を表示した画像（いわゆるメニュー画面）における、選択された項目に対する画面表示の変化や変化すべき表示位置及び選択した項目に対応するコマンド（選択された項目に対応して実行される命令）の設定が行なわれる。ここで、メニュー画面を構成して表示するために必要な、枠、選択ボタン等を構成して表示するための画像情報は、上記の副映像情報であるサブピクチャパケット４４として記録される。
【００３５】
更に、上記ＧＯＰ５２は、本実施の形態におけるＤＶＤ１に画像情報を記録する際に採用されている画像圧縮方式であるＭＰＥＧ２（Moving Picture Experts Group  ２）方式の規格において定められている単独で再生可能な最小の画像単位である。
【００３６】
以上説明した図１に示す階層構造の記録フォーマットにおいて、夫々の区分は、製作者がその意図に応じて自在に区分設定をして記録させることができる。これらの区分毎に後述の論理構造に基づいて再生することにより、変化に富んだ種々の再生が可能となるのである。
【００３７】
次に、図１に示す物理的な区分により記録された情報を組合わせた論理的フォーマット（論理構造）について図２を用いて説明する。なお、図２に示す論理構造は、その構造で実際にＤＶＤ１上に情報が記録されているのではなく、図２に示す論理構造で図１に示す各データ（特にセル２０）を組合わせて再生するための情報（アクセス情報又は時間情報等）がＤＶＤ１上の、特にコントロールデータ１１の中に記録されているものである。
【００３８】
説明の明確化のために、図２の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが、区分を識別してコマンドによってアクセスできる最小の論理的単位でもある。なお、このプログラム６０を１個以上まとめたものを、視聴者が自由に選択して視聴することができる最小単位として製作者が定義することもでき、この単位をＰＴＴ（Part Of Title ）という。
【００３９】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを行うことも可能となっている。
【００４０】
ここで、一のセル２０の番号については、当該セル２０を図１に示す物理フォーマットにおいて取り扱う際にはＶＯＢ１０内における記録順にセルＩＤ番号として扱われ（図１中、セルＩＤ＃と示す。）、図２に示す論理フォーマットにおいて取り扱う際には後に述べるＰＧＣＩ中の記述順にセル番号として扱われる。
【００４１】
次に、複数のプログラム６０を組合わせて一のＰＧＣ（Program Chain ）６１が製作者の意図に基づいて論理上構成される。このＰＧＣ６１の単位で、前述したＰＧＣＩ（Program Chain Information ）が定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式及び各種コマンド（ＰＧＣ６１又はセル２０毎に製作者が指定可能なコマンド）が含まれている。なお、ＰＧＣＩのＤＶＤ１上の記録位置は、上述の通り、コントロールデータ１１内であるか、あるいは、ビデオマネージャ２内のメニューに関するＰＧＣＩであればビデオマネージャ２のコントロールデータ（図示せず）内である。
【００４２】
また、一のＰＧＣ６１には、上記ＰＧＣＩの他に、実体的な画像及び音声等のデータがプログラム６０の組合わせとして（換言すれば、セル２０の組合わせとして）含まれることとなる。
【００４３】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００４４】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００４５】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図２に示す一のＶＴＳ６３に相当する情報は、図１に示す一のＶＴＳ３に含まれている情報に対応している。すなわち、ＤＶＤ１には、図２に示す論理上のＶＴＳ６３内に含まれる全ての情報が一のＶＴＳ３として記録されていることとなる。
【００４６】
以上説明した論理フォーマットに基づいて、物理構造において区分された情報を製作者が指定することにより、視聴者が見るべき映像（映画等）が形成されるのである。
【００４７】
以上説明したような種々の階層の情報を記録する必要があるため、上述の記録フォーマットを有する情報は、上記ＤＶＤ１のように、一本の映画を記録する他に、当該映画に対応する音声や字幕等について、複数種類の言語の音声や字幕をも同一の光ディスクに記録することが可能な大きな記憶容量を有する情報記録媒体に特に適している。
【００４８】
次に、上記の物理構造及び論理構造を有する画像情報及び音声情報のうち、特に本発明におけるコピー制御に関する情報について詳細に説明する。
【００４９】
本発明においては、コピー制御に関する情報としてコピーフラグ、ビデオコピー情報及びオーディオコピー情報が導入されている。
【００５０】
コピーフラグは上述の階層構造中の複数の階層に記録される。図３に、コピーフラグが記録される位置を示す。図示のように、コピーフラグはビデオマネージャ２内、コントロールデータ１１内、及び、ＰＧＣＩ内に記録される。ビデオマネージャ２内に記録されるコピーフラグＣＦ1 は２ビットの情報であり、そのビデオマネージャ２内の管理下にある記録情報、即ち、映像及び音声情報のコピーの可否について規定している。コピーフラグＣＦ1 が「００」の時は全面コピー禁止を示している。つまり、そのビデオマネージャ２の管理下にあるいずれの情報も他の記録媒体にコピーすることは禁止されている。コピーフラグＣＦ1 が「１１」の時は全面コピー許可を示す。つまり、そのビデオマネージャ２の管理下にある全ての情報を他の記録媒体にコピーすることが許容されている。また、コピーフラグＣＦ1 が「０１」の時は一部コピー許可を示す。つまり、そのビデオマネージャ２の管理下にある情報には、他の記録媒体にコピーすることが許可されている情報とコピーすることが禁止されている情報との両方を含んでいることを意味する。
【００５１】
ユーザーが当該ＤＶＤに記録されている全ての情報を他の記録媒体にコピーしたいと考えた場合、まず、このコピーフラグＣＦ1 が参照される。そして、コピーフラグＣＦ1 が「００」であればそのＤＶＤの記録情報は全てコピー禁止であることがわかるので、直ちにその旨を表示等してユーザーに告知することができ、ユーザーを待たせることはない。なお、コピーフラグＣＦ1 における「コピー許可」とは、回数に制限なくコピーできる場合と一回に限りコピーできる場合の両方を包含するものとして規定している。コピー回数の制限が具体的にいずれであるかは、後述するビデオコピー情報及びオーディオコピー情報に規定されている。
【００５２】
また、コピーフラグは各ＶＴＳ３内に設けられているコントロールデータ１１内にも記録されている。これを、コピーフラグＣＦ2 と呼ぶ。コピーフラグＣＦ2 は、コピーフラグＣＦ1 と同様に２ビットの情報であり、そのコントロールデータ１１の制御下に置かれる記録情報のコピーの可否について規定している。コピーフラグＣＦ2 が「００」の時は全面コピー禁止を示す。つまり、そのコントローラ１１の制御下にあるいずれの情報も他の記録媒体にコピーすることは禁止されている。コピーフラグＣＦ2 が「１１」の時は全面コピー許可を示す。つまり、そのコントローラ１１の制御下にある全ての情報を他の記録媒体にコピーすることが許容されている。また、コピーフラグＣＦ2 が「０１」の時は一部コピー許可を示す。つまり、そのコントローラ１１の制御下にある情報は、他の記録媒体にコピーすることが許可されている情報とコピーすることが禁止されている情報との両方を含んでいることを意味する。
【００５３】
さらに、コピーフラグはコントロールデータ１１内のＰＧＣＩにも記録されている。これをコピーフラグＣＦ3 と呼ぶ。コピーフラグＣＦ3 もコピーフラグＣＦ1 、ＣＦ2 と同様に２ビットの情報であり、そのＰＧＣＩの制御下に置かれる記録情報のコピーの可否について規定している。コピーフラグＣＦ2 が「００」の時は全面コピー禁止を示す。つまり、そのＰＧＣＩの制御下にあるいずれの情報も他の記録媒体にコピーすることは禁止されている。コピーフラグＣＦ3 が「１１」の時は全面コピー許可を示す。つまり、そのＰＧＣＩの制御下にある全ての情報を他の記録媒体にコピーすることが許容されている。また、コピーフラグＣＦ3 が「０１」の時は一部コピー許可を示す。つまり、そのＰＧＣＩの制御下にある情報は、他の記録媒体にコピーすることが禁止されている情報とコピーすることが許容されている情報との両方を含んでいることを意味する。
【００５４】
このように、本発明においては、記録情報のコピーの可否を示すコピーフラグが複数の階層に設けられていることを一つの特徴とする。その結果、上位の階層から下位の階層について、それぞれの階層において単位情報として管理される記録情報毎に、それらのコピーの可否の情報が得られるので、コピーの対象となる情報の大きさに応じて効率的なコピー制御が可能となる。
【００５５】
また、ナビパック４１内のＰＣＩデータ５０にはビデオコピー情報及びオーディオコピー情報が記録される。図４にビデオコピー情報及びオーディオコピー情報の記録例を示す。図示のように、ビデオコピー情報ＣＶ及びオーディオコピー情報ＣＡは共に２ビットの情報であり、それぞれビデオ情報及びオーディオ情報のコピーの可否について規定している。ナビパック４１は既に説明したように各ＶＯＢユニット３０毎に設けられており、ビデオコピー情報ＣＶは、自身が属するＶＯＢユニット３０内に記録されているビデオデータ（即ち、ビデオデータ４２、サブピクチャデータ４４等）がコピー禁止であるか否かを規定している。具体的には、ビデオコピー情報ＣＶが「００」の場合には、当該ビデオコピー情報ＣＶが属するＶＯＢユニット３０内の全てのビデオデータについて他の記録媒体へのコピーが禁止されていることを意味する。また、ビデオコピー情報ＣＶが「０１」の場合には、当該ビデオコピー情報が属するＶＯＢユニット３０内の全てのビデオデータについて他の記録媒体へのコピーが一回に限り許可されていることを意味する。さらに、ビデオコピー情報ＣＶが「１１」の場合には、当該ビデオコピー情報が属するＶＯＢユニット３０内のビデオデータについて他の記録媒体へのコピーが回数に制限なく許可されていることを意味する。
【００５６】
また、同様にオーディオコピー情報ＣＡは、自身の属するＶＯＢユニット３０内に記録されたオーディオデータ（即ち、オーディオデータ４３）がコピー禁止であるか否かを規定している。具体的には、オーディオコピー情報ＣＡが「００」の場合には、当該オーディオコピー情報が属するＶＯＢユニット３０内の全てのオーディオデータについて他の記録媒体へのコピーが禁止されていることを意味する。また、オーディオコピー情報ＣＶが「０１」の場合には、当該オーディオコピー情報が属するＶＯＢユニット３０内の全てのオーディオデータについて他の記録媒体へのコピーが一回に限り許可されていることを意味する。さらに、オーディオコピー情報ＣＶが「１１」の場合には、当該オーディオコピー情報が属するＶＯＢユニット３０内のオーディオデータについて他の記録媒体へのコピーが回数に制限なく許可されていることを意味する。
【００５７】
このように、本発明にかかる記録媒体においては、ナビパック４１内のＰＣＩデータ５０中にビデオコピー情報ＣＶ及びオーディオコピー情報ＣＡを設けているので、ＶＯＢユニット単位で記録情報のコピーの可否を規定することができる。従って、具体的には最小で約０．４秒単位でコピーの可否を設定することが可能となり、細かな単位でのコピー制御を行うことが可能となる。また、ビデオコピー情報ＣＶとオーディオコピー情報ＣＡとを独立に規定しているので、両者を独立に制御することができる。例えば、同一のＶＯＢユニット内の記録情報について、ビデオ情報又はオーディオ情報の一方のみをコピー禁止とするといった制御も可能となり、コピー制御に多くのバリエーションを加えることが可能となる。
【００５８】
次に、上述のコピーフラグとビデオコピー情報及びオーディオコピー情報との関係について説明する。既に説明したように、コピーフラグはＤＶＤ１の複数の階層に設けられており、それぞれがその階層における情報単位に含まれる情報のコピーの可否について規定している。従って、上位の階層で設定されたコピーフラグの内容と下位の階層で設定されたコピーフラグの内容には矛盾はなく、また、各階層のコピーフラグの内容と最下位に記録されているビデオコピー情報及びオーディオコピー情報の内容にも矛盾はない。より具体的に説明すると、まず、最上位のコピーフラグＣＦ1 が「００」を示す場合、これはそのビデオマネージャ２の管理下にある全ての記録データ（具体的にはタイトル）がコピー禁止に設定されていることを意味している。よって、それ以下の階層に存在するコピーフラグＣＦ2 及びＣＦ3 は全てコピー禁止を示す「００」であり、ＰＣＩデータ５０内のビデオコピー情報ＣＶ及びオーディオコピー情報ＣＡ（以下、「ビデオコピー情報等」という。）はいずれの場所でもコピー禁止を示す「００」である。
【００５９】
一方、最上位のコピーフラグＣＦ1 が「１１」を示す場合、これはそのビデオマネージャ２の管理下にある全ての記録データがコピー許可に設定されていることを意味している。よって、それ以下の階層に存在するコピーフラグＣＦ2 及びＣＦ3 は全て全面コピー許可を示す「１１」である。但し、この「コピー全面許可」には、コピーを一回に限り許可する場合と回数制限なく許可する場合の両方が含まれているので、ＰＣＩデータ５０内のビデオコピー情報等は一回のみコピー許可を示す「０１」又は回数制限なくコピー許可を示す「１１」のいずれかである。
【００６０】
次に、最上位のコピーフラグＣＦ1 が一部コピー禁止を示す「０１」の場合であるが、この場合のそれ以下のコピーフラグ及びビデオコピー情報等の規定例を図５に示す。コピーフラグＣＦ1 が「０１」の場合、ＶＴＳ３のコントロールデータ１１内に存在するコピーフラグＣＦ2 は全面コピー禁止を示す「００」、一部コピー許可を示す「０１」及び全面コピー許可を示す「１１」の３通りが考えられる。コピーフラグＣＦ2 が「００」の場合には、その下位のコピーフラグＣＦ3 は全て全面コピー禁止を示す「００」のはずであり、その範囲のビデオコピー情報等も全てコピー禁止を示す「００」である。次に、コピーフラグＣＦ2 が全面コピー許可を示す「１１」の場合、その下位のコピーフラグＣＦ3 は全て全面コピー許可を示す「１１」である。但し、その範囲内のビデオコピー情報等は一回のみコピー許可を示す「０１」と回数制限なくコピー許可を示す「１１」の両方が設定されうる。最後に、コピーフラグＣＦ2 が一部コピー許可を示す「０１」の場合、その下位のコピーフラグＣＦ3 は全面コピー禁止を示す「００」と一部コピー許可を示す「０１」と全面コピー許可を示す「１１」のいずれかである。また、コピーフラグＣＦ3 がコピー禁止を示す「００」の範囲ではビデオコピー情報等は全てコピー禁止を示す「００」である。一方、コピーフラグＣＦ3 が一部コピー許可を示す「０１」の場合、その範囲のビデオコピー情報等はコピー禁止を示す「００」、一回のみコピー許可を示す「０１」及びコピー許可を示す「１１」のいずれも設定されうることになる。最後に、コピーフラグＣＦ3 が全面コピー許可を示す「１１」の範囲では、ビデオコピー情報等は一回のみコピー許可を示す「０１」及びコピー許可を示す「１１」のいずれかが設定される。
【００６１】
［２］記録装置の実施形態
次に、上述のコピーフラグ、ビデオコピー情報等を含む制御情報、映像情報及び音声情報をＤＶＤ１に記録するための記録装置の実施形態について、図６を用いて説明する。始めに、本実施形態の記録装置の構成及び動作について説明する。
【００６２】
図６に示すように、本実施形態に係る記録装置Ｓ1 は、ＶＴＲ（Video Tape Recorder ）７０と、メモリ７１と、信号処理部７２と、ハードディスク装置７３及び７４と、コントローラ７５と、多重器７６と、変調器７７と、マスタリング装置７８とにより構成されている。
【００６３】
次に、動作を説明する。
【００６４】
ＶＴＲ７０には、ＤＶＤ１に記録すべき音楽情報や映像情報等の素材である記録情報Ｒが一時的に記録されている。そして、ＶＴＲ７０に一時的に記録された記録情報Ｒは、信号処理部７２からの要求により当該信号処理部７２に出力される。信号処理部７２は、ＶＴＲ１から出力された記録情報ＲをＡ／Ｄ変換した後、ＭＰＥＧ２方式により圧縮処理し、音楽情報と映像情報とを時間軸多重して圧縮多重信号Ｓr として出力する。その後、出力された圧縮多重信号Ｓr は、ハードディスク装置７３に一時的に記憶される。
【００６５】
これらと並行して、メモリ７１は、上記記録情報Ｒを部分記録情報Ｐr に予め区分し、それぞれの部分記録情報Ｐr に関する制御情報等が記載されたキューシートＳＴに基づき、予め入力された当該部分記録情報Ｐr に関する内容情報を一時的に記憶し、信号処理部７２からの要求に基づいて内容情報信号Ｓi として出力する。信号処理部７２は、ＶＴＲ７０から出力される上記記録情報Ｒに対応したタイムコードＴt 及びメモリ７１から出力される内容情報信号Ｓi に基づき、タイムコードＴt を参照して上記部分記録情報Ｐr に対応するアクセス情報信号Ｓacを生成して出力し、当該アクセス情報信号Ｓacがハードディスク装置７４に一時的に記憶される。以上の処理が記録情報Ｒ全体について実行される。
【００６６】
記録情報Ｒの全てについて上記の処理が終了すると、コントローラ７５は、ハードディスク装置７３から圧縮多重信号Ｓr を読み出すとともにハードディスク装置７４からアクセス情報信号Ｓacを読み出し、これらに基づいて付加情報Ｄa を生成し、ハードディスク装置７４に記憶する。本実施形態におけるコピーフラグ、ビデオコピー情報及びオーディオコピー情報の内容は予めＤＶＤ１の制作者によって決められており、ハードディスク７４に記憶されている。そして、信号処理部７２の制御により、コピーフラグＣＦ1 乃至ＣＦ3 、ビデオコピー情報ＣＶ及びオーディオコピー情報ＣＡは付加情報Ｄa に含められる。即ち、コピーフラグＣＦ1 がビデオマネージャ２に記録される情報として、コピーフラグＣＦ2 がコントロールデータ１１内に記録される情報として、また、コピーフラグＣＦ3 がＰＧＣＩ内に記録される情報として付加情報Ｄa に含められる。また、ビデオコピー情報ＣＶ及びオーディオ情報ＣＡはナビパック４１内のＰＣＩデータ５０内に記録される情報として付加情報Ｄa に含められる。
【００６７】
一方、コントローラ７５は、上記信号処理部７２、ハードディスク装置７３及びハードディスク装置７４の夫々の動作の時間管理を行い、ハードディスク装置７４から読み出した付加情報Ｄa に対応する付加情報信号Ｓa を出力すると共に圧縮多重信号Ｓr と付加情報信号Ｓa を時間軸多重するための情報選択信号Ｓc を生成して出力する。
【００６８】
その後、圧縮多重信号Ｓr と付加情報信号Ｓa は、情報選択信号Ｓc に基づき、多重器７６により時間軸多重されて情報付加圧縮多重信号Ｓapとして出力される。この情報付加圧縮多重信号Ｓapの段階では、記録すべき情報はコントローラ７５の情報選択信号Ｓc を用いた切り換え動作によって制御信号と映像情報及び音声情報とが合成され、図１に示す物理構造（物理フォーマット）となっている。なお、副映像情報が存在する場合には、図示しないＦＤ装置などの他の手段によって復号処理部７２に入力され、映像、音声情報と同様に処理される。
【００６９】
その後、変調器７７は出力された情報付加圧縮多重信号Ｓapに対してリードソロモン符号等のエラー訂正コード（ＥＣＣ）の付加及び８−１６変調等の変調を施してディスク記録信号Ｓm を生成し、マスタリング装置７８に出力する。
【００７０】
最後に、マスタリング装置７８は、当該ディスク記録信号Ｓm を光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【００７１】
以上のようにして、コピーフラグＣＦ1 乃至ＣＦ3 、ビデオコピー情報ＣＶ及びオーディオコピー情報ＣＡが図３及び図４に示された位置に記録されたＤＶＤが作成される。
【００７２】
［３］再生装置の実施形態
次に、上記の記録装置Ｓ1 によりＤＶＤ１に記録された情報を再生するための再生装置の実施形態を、図７乃至図１０を用いて説明する。始めに、図７を用いて、実施形態の再生装置の全体構成及び動作について説明する。
【００７３】
図７に示すように、本実施形態に係る再生装置Ｓ2 は、ピックアップ８０と、復調訂正部８１と、ストリームスイッチ８２及び８４と、トラックバッファ８３と、システムバッファ８５と、デマルチプレクサ８６と、ＶＢＶ（Video Buffer Verifier ）バッファ８７と、ビデオデコーダ８８と、サブピクチャバッファ８９と、サブピクチャデコーダ９０と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３と、Ｄ／Ａ変換器２０１及び２０３と、出力制御部２０２及び２０４とにより構成されている。なお、図７に示す構成は、再生装置Ｓ2 の構成のうち、画像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【００７４】
次に、全体動作を説明する。
【００７５】
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓp を出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【００７６】
ピックアップ８０から出力された検出信号Ｓp は、復調訂正部８１に入力され、復調処理及び誤り訂正処理が行われて復調信号Ｓdmが生成され、ストリームスイッチ８２及びシステムバッファ８５に出力される。復調信号Ｓdmが入力されたストリームスイッチ８２は、ドライブコントローラ１０１からのスイッチ信号Ｓsw1 によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【００７７】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等におけるトラックジャンプに起因して不連続に入力される復調信号Ｓdmを連続的に出力し、当該不連続による再生の中断を解消するためのものである。
【００７８】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2 により開閉が制御される。
【００７９】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２）やＶＴＳ３のコントロールデータ１１を蓄積して制御情報Ｓc としてシステムコントローラ１００に出力すると共に、情報再生中に必要に応じて上記ナビパック４１毎のＤＳＩデータを一時的に蓄積し、システムコントローラ１００に制御情報Ｓc として出力する。よって、前述のコピーフラグＣＦ1 乃至ＣＦ3 は制御情報Ｓc としてシステムバッファ８５から出力され、システムコントローラ１００内の図示しないメモリに蓄積される。
【００８０】
ストリームスイッチ８４を介して復調信号Ｓdmが連続的に入力されたデマルチプレクサ８６においては、当該復調信号Ｓdmから映像情報、音声情報、副映像情報及びナビパック４１毎のＰＣＩデータを分離し、ビデオ信号Ｓv 、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、音声情報又は副映像情報として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【００８１】
ビデオ信号Ｓv が入力されるＶＢＶバッファ８７は、ＦＩＦＯメモリ等により構成され、ビデオ信号Ｓv を一時的に蓄積し、ビデオデコーダ８８に出力する。ＶＢＶバッファ８７は、ＭＰＥＧ２方式により圧縮されているビデオ信号Ｓv における各ピクチャ毎のデータ量のばらつきを補償するためのものである。そして、データ量のばらつきが補償されたビデオ信号Ｓv がビデオデコーダ８８に入力され、ＭＰＥＧ２方式により復調が行われて復調ビデオ信号Ｓvdとして混合器９１に出力される。
【００８２】
副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれる副映像情報を、当該副映像情報に対応する画像情報と同期して出力するためのものである。そして、映像情報との同期が取られた副映像信号Ｓspがサブピクチャデコーダ９０に入力され、復調が行われて復調副映像信号Ｓspd として混合器９１に出力される。なお、副映像信号Ｓspが、メニュー画面を構成して表示するために必要な、枠、選択ボタン等を構成するための画像情報を含んでいる場合には、システムコントローラ１００からのハイライト制御信号Ｓchに基づき、表示すべき選択ボタン等の表示状態の変更を行って出力する。
【００８３】
ビデオデコーダ８８から出力された復調ビデオ信号Ｓvd及びサブピクチャデコーダ９０から出力された復調副映像信号Ｓspd （対応する復調ビデオ信号Ｓvdとの同期が取れている。）は、混合器９１により混合され、最終的な表示すべき画像信号ＳvpとしてＤ／Ａ変換器２０１及び出力制御部２０２へ入力される。画像信号Ｓvpはディジタル信号であり、Ｄ／Ａ変換器はこれをアナログビデオ信号Ｓvaに変換して出力する。出力制御部２０２はシステムコントローラ１００から供給される制御信号Ｓcvにより制御され、ディジタルインターフェースのための付加情報を付加してディジタル画像信号Ｓvdを出力する。なお、制御信号Ｓcvの内容はビデオコピー情報に基づいて決められるがその詳細は後述する。
【００８４】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓadd としてＤ／Ａ変換器２０３及び出力制御部２０４へ供給される。復調オーディオ信号Ｓadd はディジタル信号であり、Ｄ／Ａ変換器２０３はこれをアナログオーディオ信号Ｓaaに変換してアナログオーディオ出力端子へ出力する。出力制御部２０４はシステムコントローラ１００から供給される制御信号Ｓcaにより制御され、ディジタルインターフェースのための付加情報を付加されてディジタルオーディオ信号Ｓdaを出力する。なお、制御信号Ｓcaの内容はオーディオコピー情報に基づいて決められるがその詳細は後述する。なお、アクセス直後の再生で一時的に音声を中断する（ポーズする）必要があることが検出された場合には、システムコントローラ１００からポーズ信号Ｓcpがオーディオデコーダ９３に出力され、当該オーディオデコーダ９３において一時的に復調オーディオ信号Ｓadd の出力を停止する。
【００８５】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。図４に示すビデオコピー情報ＣＶ及びオーディオコピー情報ＣＡはこのＰＣＩ信号に含まれてＰＣＩバッファ９４に蓄積される。ＰＣＩバッファ９４は、ＰＣＩ信号Ｓpcに含まれるＰＣＩデータと当該ＰＣＩデータが対応する映像情報、副映像情報等とを同期させ、当該映像情報又は副映像情報等にＰＣＩデータを適用させるためのものである。そして、ＰＣＩバッファ９４により対応する映像情報又は副映像情報等と同期したＰＣＩ信号Ｓpcは、ＰＣＩデコーダ９５によりＰＣＩデータに含まれるハイライト情報が分離され、ハイライト信号Ｓhiとしてハイライトバッファ９６に出力されると共に、ＰＣＩデータのハイライト情報以外の部分がＰＣＩ情報信号Ｓpci としてシステムコントローラ１００に出力される。従って、ビデオコピー情報ＣＶ及びオーディオコピー情報ＣＡはＰＣＩ情報信号Ｓpci に含められた形でシステムコントローラ１００へ供給される。
【００８６】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための画像情報が含まれている副映像信号Ｓspに対応して、ハイライト情報に対応する選択項目の表示状態の変更が正確に行なわれるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhid としてシステムコントローラ１００に出力される。ここで、システムコントローラ１００は、当該復調ハイライト信号Ｓhid に基づき、ハイライト情報による表示状態の変更を行うべく、上記のハイライト制御信号Ｓchを出力することとなる。
【００８７】
システムコントローラ１００は、システムバッファ８５から入力される制御情報Ｓc 、ＰＣＩデコーダ９５から入力されるＰＣＩ情報信号Ｓpci 及びリモコン等の入力部９８から入力される入力信号Ｓinに基づき、それらの信号に対応した正しい再生を行うために上記のスイッチ信号Ｓsw2 、ストリーム選択信号Ｓlc、ポーズ信号Ｓca、ハイライト制御信号Ｓchを出力すると共に、再生装置Ｓ2 の動作状況等を表示するために表示信号Ｓdpを液晶表示装置等のディスプレイ９９に出力する。また、システムコントローラ１００は、ＰＣＩ情報信号Ｓcpi 中に含められたコピーフラグＣＦ1 乃至ＣＦ2 、ビデオコピー情報ＣＶ及びオーディオコピー情報ＣＡに基づいて、出力制御部２０２へ制御信号Ｓcvを、出力制御部２０４へ制御信号Ｓcaを、また、再生装置外部への出力端子へ制御信号Ｓssを出力する。
【００８８】
更に、システムコントローラ１００は、上記ＰＣＩ情報信号Ｓpci 等により、シームレス再生のためにサーチ等のトラックジャンプの処理が必要であることを検出したときには、ドライブコントローラ１０１に対して、当該トラックジャンプの処理に対応するシームレス制御信号Ｓcsl を出力する。
【００８９】
そして、シームレス制御信号Ｓcsl が入力されたドライブコントローラ１０１は、スピンドルモータ１０２又はスライダモータ１０３に対して駆動信号Ｓd を出力する。この駆動信号Ｓd により、スピンドルモータ１０２又はスライダモータ１０３は、光ビームＢが再生すべきＤＶＤ１上の記録位置に照射されるようにピックアップ２を移動させると共にＤＶＤ１の回転数をＣＬＶ制御する（図７破線矢印参照）。これと並行して、ドライブコントローラ１０１は、ピックアップ２が移動中であり復調訂正部３から復調信号Ｓdmが出力されないときには、シームレス制御信号Ｓcsl に基づきスイッチ信号Ｓsw1 を出力し、ストリームスイッチ８２を開とすると共に、復調信号Ｓdmが出力され始めると、ストリームスイッチ８２を閉成して復調信号Ｓdmをトラックバッファ８３に出力する。
【００９０】
次に、上記再生装置Ｓ2 によるコピー制御処理について図８に基づいて説明する。図８は、本発明にかかるコピー制御の一例を示すフローチャートである。コピーを行う際には通常、再生側の装置と記録側の装置を接続し、再生側の装置から記録側の装置へ記録情報を供給する。以下の説明では、再生装置Ｓ2 が再生側として機能し、これに接続された記録装置にデータを供給するものとする。また、以下の処理は、基本的にシステムコントローラ１００が他の構成部分を制御することにより行う。
【００９１】
なお、コピーの対象となる記録情報のビデオコピー情報等が一回のみコピー許可を示す「０１」である場合、このビデオコピー情報等を記録媒体にコピーする際には、ビデオコピー情報等をコピー禁止を示す「００」に変更してから記録媒体に記録する必要がある。この場合の方法としては、再生側装置で該ビデオコピー情報等を変更してから記録側装置に供給する方法と、再生側装置ではそのまま出力し、記録側装置がこれを変更して記録する方法の２つの方法がある。即ち、前者は、再生側装置はコピーの対象となる記録情報についてのビデオコピー情報等を一回のみコピー許可を示す「０１」からコピー禁止を示す「００」に変更した後、記録側装置に供給する方法である。後者は、再生側装置はビデオコピー情報等を変更せず「０１」のまま供給するとともに、その情報が一回のみコピー許可であることを示す制御情報をディジタルインターフェースのための付加情報Ｓvd、Ｓdaに含める等の方法により記録側装置へ供給する。記録側装置は、この制御信号を参照して、供給された信号に対応するビデオコピー情報等を「０１」から「００」に変更して記録する。実際上は後者の方法が一般的であるが、以下の説明では一応前者の場合について先に説明し、さらに後者の場合の処理にも言及することとする。
【００９２】
まず、ユーザーはコピーをすべきタイトルＸを決定し、当該タイトルをコピーする旨の指示を再生装置Ｓ2 に入力する（ステップＳ０）。すると、システムコントローラ１００はビデオマネージャ２をサーチし、その中に記録されているコピーフラグＣＦ1 を読み取り（ステップＳ１）、その内容をチェックする（ステップＳ２）。コピーフラグＣＦ1 が「１１」の場合、そのビデオマネージャ２の管理下にある全てのタイトルはコピー可能とされているので、ユーザーが選択したタイトルＸもコピー可能である。従って、システムコントローラ１００は当該タイトルＸの先頭ＰＧＣが含まれるＶＴＳ３をサーチし（ステップＳ３）、さらにその先頭ＰＧＣをサーチする（ステップＳ４）。そして、そのＰＧＣに従ってそのタイトルのデータを再生する（ステップＳ５）。ここで、再生時においてはシステムコントローラ１００は各ＶＯＢユニット３０のナビパック内のビデオコピー情報等を参照する。この場合、ビデオマネージャ２内のコピーフラグＣＦ1 が「１１」であるから、ビデオコピー情報等は、一回のみコピー可能であることを示す「０１」又は回数制限なくコピー可能であることを示す「１１」のいずれかである。
【００９３】
ビデオコピー情報等が一回のみコピーを許可する「０１」である場合、ビデオコピー情報の変更を再生装置側で行うシステムでは、システムコントローラ１００はそのビデオコピー情報等を「００」に変更し、これを含む制御情報Ｓcv及びＳcaを出力制御部２０２及び２０４へ供給する。一方、ビデオコピー情報等の変更を記録側で行うシステムの場合、システムコントローラ１００はビデオコピー情報を「０１」を変更しないが、当該情報が一回のみコピー禁止であることを示す情報をディジタルインターフェースのための付加情報に含め、これを制御情報Ｓcv及びＳcaに含めて出力制御部２０２及び２０４へ供給する。出力制御部２０２及び２０４は入力されるディジタル信号Ｓvp及びＳadd にディジタルインターフェースのための付加情報を付加して、それぞれＳva、Ｓdaとして出力端子から出力する。記録側装置はこれを受け取り、記録媒体に記録する。この際、記録側装置は該付加情報を参照し、一回のみコピー許可とされている記録情報については、ビデオコピー情報等を「０１」から「００」に変更して記録する。
【００９４】
一方、ビデオコピー情報等が「１１」である場合には、システムコントローラ１００は当該情報を変更することなく制御情報Ｓcv及びＳcaを出力制御部２０２及び２０４へ供給する。出力制御部２０２及び２０４は入力されるディジタル信号Ｓvp及びＳadd にディジタルインターフェースのための付加情報を付加して、それぞれＳva、Ｓdaとして出力端子から出力する。記録側装置はこれを受け取り、記録媒体に記録する（ステップＳ５）。次に、当該ＰＧＣに続くＰＧＣが存在するか否かをチェックし（ステップＳ６）、存在する場合にはステップＳ４へ戻って上記の処理を繰り返す。一方、後続のＰＧＣが存在しない場合には処理を終了する。
【００９５】
ステップＳ２において、コピーフラグＣＦ1 が「００」であると判断された場合、そのビデオマネージャ２の管理下にある全てのタイトルはコピー禁止であるので、当然ユーザーが選択したタイトルＸもコピー禁止に設定されている。従って、システムコントローラ１００はディスプレイ９９に表示を行う等の方法により、そのタイトルがコピー禁止であることをユーザーに告知して処理を終了する（ステップＳ７）。なお、この場合は指定されたタイトルの再生を行わないので、当然コピーがされることはない。
【００９６】
また、ステップＳ２において、コピーフラグＣＦ1 が「０１」であると判断された場合には、システムコントローラ１００はユーザーが選択したタイトルＸの先頭ＰＧＣが含まれるＶＴＳ３をサーチし、当該ＶＴＳ３のコントロールデータ１１内に含まれるコピーフラグＣＦ2 を参照する（ステップＳ９）。コピーフラグＣＦ2 が「１１」の場合には、そのＶＴＳに含まれる全てのタイトルがコピー可能であるので、処理はステップＳ４へ飛び、そのタイトルの再生を開始する（ステップＳ４乃至Ｓ６）。この際、ビデオコピー情報等が一回のみコピー可能であることを示す「０１」の場合の処理は前述の場合と同じである。即ち、ビデオコピー情報の変更を再生側で行うシステムの場合は、再生側装置が当該情報を「００」に変更して出力する。一方、ビデオコピー情報の変更を記録側で行うシステムの場合は、再生側装置は当該情報を「０１」のまま出力し、記録装置側が付加情報の内容を参照してこれを「００」に変更する。一方、コピーフラグＣＦ2 が「００」である場合には、そのＶＴＳに含まれる全てのタイトルはコピー禁止に設定されているので、処理はステップＳ７に飛び、コピー禁止であることをユーザーに告知して処理を終了する（ステップＳ７）。
【００９７】
一方、ステップＳ９において、コピーフラグＣＦ2 が「１０」である場合には、そのＶＴＳに含まれる記録データにはコピー可能であるものとコピー禁止であるものが混在していることになる。よって、システムコントローラ１００は、ステップＳ８でサーチしたタイトルＸの先頭ＰＧＣに含まれるコピーフラグＣＦ3 をチェックする（ステップＳ１０）。
【００９８】
コピーフラグＣＦ3 が「１１」である場合には、そのＰＧＣにより制御される記録データは全てコピー可能であるので、そのＰＧＣを読み取り（ステップＳ１１）、それに従って再生を行う（ステップＳ１２）。この場合もステップＳ５の場合と同様に一回のみコピー可能である記録情報についてはビデオコピー情報等の変更が必要である。よって、ビデオコピー情報の変更を再生側で行うシステムの場合は、再生側装置が当該情報を「００」に変更して出力する。一方、ビデオコピー情報の変更を記録側で行うシステムの場合は、再生側装置は当該情報を「０１」のまま出力し、記録装置側が付加情報の内容を参照してこれを「００」に変更する。
【００９９】
また、ステップＳ１０でコピーフラグＣＦ3 が「００」であると判断された場合、そのＰＧＣにより制御される記録データは全てコピー禁止であるので、ユーザーにその旨を告知する（ステップＳ１３）。続いて、ユーザーに対し、以降のコピー処理を続行するか否かを確認する（ステップＳ１４）。これは、ユーザーの選択したタイトルに含まれるＰＧＣの一部にでもコピー禁止のものを含む場合には、ユーザーはコピーを中止したい場合があるからである。即ち、ユーザーは選択したタイトルＸの内容全てが欠落なくコピーできない場合にはコピーを行う必要がないと考えれば、その旨を入力し（ステップＳ１４：Ｎｏ）、処理は終了する。一方、ユーザーが、選択したタイトル中に欠落があっても、コピー可能な部分のみで良いからコピーを行いたいと考える場合には、その旨を入力し（ステップＳ１４：Ｙｅｓ）、処理は次のＰＧＣに移る（ステップＳ１８）。
【０１００】
ステップＳ１０において、コピーフラグＣＦ3 が「０１」であった場合、そのＰＧＣにより制御される記録データはコピー可能であるものとコピー禁止であるものとを含むことになる。そこで、システムコントローラ１００は、一部にコピー禁止である記録情報を含む旨をユーザーに告知し（ステップＳ１５）、それでも処理を続行するか否かをユーザーに確認する（ステップＳ１６）。ユーザーが処理を中止する旨を入力すると（ステップＳ１６：Ｎｏ）、その時点で処理は終了する。一方、ユーザーが処理を継続する旨を入力すると（ステップＳ１６：Ｙｅｓ）、システムコントローラ１００は当該ＰＧＣに従って記録データを読み取る。この際、各ナビパック内のビデオコピー情報及びオーディオコピー情報が順次読み取られ、ＶＯＢユニット毎にコピーの可否が判断される。即ち、ビデオコピー情報ＣＶ及びオーディオコピー情報ＣＡが「００」の場合にはそのＶＯＢユニットの再生は行わないこととする。若しくは、システムコントローラ１００が制御信号Ｓcv及びＳcaを利用して出力制御部２０２及び２０４からのディジタルデータの出力を停止する。また、ビデオコピー情報ＣＶ及びオーディオコピー情報ＣＡが「０１」の場合には、記録情報を再生する。これにより、コピー禁止と設定されている部分についてはその記録データが出力されないので、コピーが行われることはない。一方、ビデオコピー情報ＣＶ及びオーディオコピー情報ＣＡが「０１」の場合には、記録の際に情報の変更が必要になる。この場合、前述のように、ビデオコピー情報等の変更を再生側で行うシステムの場合は、再生側装置が当該情報を「００」に変更して出力する。一方、ビデオコピー情報の変更を記録側で行うシステムの場合は、再生側装置は当該情報を「０１」のまま出力し、記録装置側が付加情報の内容を参照してこれを「００」に変更する。
【０１０１】
以上の処理が終わると、システムコントローラ１００はステップＳ１８において後続のＰＧＣが存在するか否かを判断し、存在する場合にはステップＳ１０へ戻って処理を繰り返す。一方、最後のＰＧＣまで到達した場合には（ステップＳ１８：Ｎｏ）、処理を終了する。
【０１０２】
なお、以上の説明ではビデオコピー情報ＣＶとオーディオコピー情報ＣＡが一致している場合について説明したが、両者が一致しない場合もありうる。例えば、オーディオ信号のみコピー可能と設定されている場合である。そのような場合には、システムコントローラ１００は両者をチェックし、コピー可能と設定されている方の情報のみを再生する。なお、一回のみコピー可能の場合にビデオコピー情報等の内容を再生側又は記録側で変更することは上述の場合と同様である。  
【０１０３】
以上説明したように、本発明においてはコピーの可否を規定するコピーフラグを複数の階層に設けているので、ユーザーの指定した情報単位がその情報全部についてコピー可能である場合には直ちにコピー処理を開始し、コピー禁止である場合には、直ちにその旨をユーザーに告知して処理を中止することができる。従って、無駄なコピー動作を行うことがなくなる。また、ユーザーの指定した情報単位内にコピー可能な部分とコピー禁止の部分が混在している場合には、その旨を告知し、ユーザーの指示に従ってコピー動作を制御できるので、ユーザーの希望に沿ったコピー処理が可能となる。
【０１０４】
次に、コピーを行うための種々のシステムに対しての本発明の適用を考察する。上記の説明は、再生装置Ｓ2 をコピー処理の再生側に使用してディジタル信号出力を制御したものであり、記録装置側における記録動作については特に制御を行っていない。即ち、コピー禁止に設定された部分については再生装置Ｓ2 がディジタルデータを出力しないこととしている。これによって、記録側がどのような装置であっても、コピーを的確に禁止できる。しかし、現実には再生装置側の再生動作と記録装置側の記録動作とを同時に制御しつつコピーを行うのが一般的である。そのような場合の本発明の適用について以下に説明する。
【０１０５】
図９（Ａ）は、再生装置側が主導権を持ち、制御信号を記録装置側に供給してコピーを行うシステムである。このシステムにおいて、本願発明にかかる再生装置Ｓ2 は再生側の装置として動作する。即ち、再生装置Ｓ2 内のシステムコントローラ１００がコピー元のＤＶＤに記録されたコピーフラグＣＦ1 乃至ＣＦ3 、ビデオコピー情報ＣＶ及びオーディオコピー情報ＣＡを検出し、コピーの可否を判断する。コピーの対象となる記録情報（タイトル）がコピー可能とされている場合には、記録装置ＲＣに対してディジタルビデオ信号Ｓvp及びディジタルオーディオ信号Ｓadd を供給すると共に、記録を許可する内容の制御信号Ｓssを記録装置に供給する。なお、当該情報が一回のみコピー可能である場合には前記のビデオコピー情報等の変更が必要である、よって、ビデオコピー情報の変更を再生側で行うシステムの場合は、再生装置Ｓ2 は当該情報を「００」に変更して出力する。一方、ビデオコピー情報等の変更を記録側で行うシステムの場合は、再生装置Ｓ2 は当該情報を「０１」のまま出力し、記録装置ＲＣが付加情報の内容を参照してこれを「００」に変更する。
【０１０６】
一方、コピーの対象となる記録データの全てがコピー禁止に設定されている場合には、ユーザーにコピー禁止である旨を告知し、再生を行わない。また、指定された記録データの一部にコピー禁止の部分がある場合には、再生装置Ｓ2 はディジタルデータを出力しつつ、コピー禁止の部分では再生装置Ｓ2 はコピー禁止を示す制御信号Ｓssを記録装置ＲＣに供給する。記録装置ＲＣはこの制御信号Ｓssを参照し、コピー禁止の部分では記録を行わない。この場合、ディジタルビデオ信号Ｓvp及びディジタルオーディオ信号Ｓadd は前述のようにディジタル出力を停止してもよいが、制御信号Ｓssにより記録装置の記録動作が確実に禁止できるのであれば、そのまま供給を続けても問題はない。
【０１０７】
図９（Ｂ）に、異なる種類のシステムを示す。このシステムでは、記録装置ＲＣがコピー動作の主導権を握って処理を行う。本発明にかかる再生装置Ｓ2 は再生側に使用される。ユーザーが再生装置ＲＣに対し、コピー対象となるタイトルを指定してコピー処理を指示すると、記録装置ＲＣは指定されたタイトルのコピーフラグを調べる旨の指示を制御信号Ｓrrとして再生装置Ｓ2 へ出力する。再生装置Ｓ2 はそのタイトルに対応するコピーフラグＣＦ1 乃至ＣＦ3 を調べ、その結果を記録装置ＲＣへ制御信号Ｓssとして伝える。記録装置ＲＣは、供給されたコピーフラグの内容を検討し、コピー禁止であればその旨をユーザーに告知して処理を終了する。一方、コピー可能であれば記録準備を行い、ポーズ状態とした後、再生装置Ｓ2 に対し記録信号を供給する旨の指示を制御信号Ｓrrとして出力する。そして、再生装置Ｓ2 から記録信号の供給が始まると、記録装置ＲＣはポーズ状態を解除して記録を開始する。指定されたタイトル内にコピー禁止の部分とコピー可能な部分とが混在する場合、コピー禁止の部分については再生装置Ｓ2 が記録情報の供給を停止するように構成すればよい。または、そのかわりに再生装置Ｓ2 が記録禁止の部分である旨を制御信号Ｓssによって記録装置ＲＣへ伝え、記録装置ＲＣの記録動作を停止させるようにしてもよい。なお、このシステムの場合は、記録側の装置が、送信されたコピーフラグに関する情報を解読し、処理する機能を有することが必要となる。また、記録信号Ｓvp、Ｓadd と制御信号Ｓssとは共通のインターフェースにより送信してもよい。
【０１０８】
図１０に、さらに他のシステムを示す。このシステムでは、再生側と記録側の両方を制御する制御装置ＣＴを設け、この制御装置ＣＴの制御の下でコピーが行われる。本発明にかかる再生装置Ｓ2 は再生側に使用される。さて、ユーザーが制御装置ＣＴに対して対象となるタイトルを指定してコピー開始を指示すると、制御装置ＣＴは制御信号Ｓctにより、指定されたタイトルのコピーフラグＣＦ1 乃至ＣＦ3 を調べるように再生装置Ｓ2 に指示する。これに応答し、再生装置Ｓ2 はコピーフラグを調べ、その内容を制御信号Ｓssとして制御装置ＣＴに知らせる。制御装置ＣＴは受け取ったコピーフラグの内容を検討し、そのタイトルが全面コピー禁止であればその旨をユーザーに告知して処理を終了する。一方、一部でもコピー可能であれば記録装置ＲＣに制御信号Ｓrrを送信して記録準備を行わせる。これにより、記録装置ＣＲは記録準備を行い、ポーズ状態で待機する。次に、制御装置ＣＴは再生装置Ｓ2 に対し再生指示を制御信号Ｓrrにより供給するとともに、記録装置ＲＣに対し記録を開始する旨の指示を制御信号Ｓrrにより行う。これに応答して記録装置ＲＣはポーズ状態を解除して再生装置Ｓ2 から供給されるビデオ信号及びオーディオ信号の記録を開始する。なお、ユーザーにより指定されたタイトル内にコピー禁止の部分とコピー可能な部分とが混在する場合、制御装置ＣＴは再生装置Ｓ2 が再生しているタイトルに含まれるＰＣＩデータ中のコピーフラグＣＦ3 を常に監視しており、コピー禁止の部分については再生装置Ｓ2 からの記録情報の供給を停止するか、若しくは記録装置ＲＣの記録動作を停止するように制御すればよい。
【０１０９】
以上のようにして、本発明によれば、種々のコピーシステムにおいて効率的かつ正確なコピー制御を行うことが可能となる。
【０１１０】
また、階層構造における複数の階層毎にコピーの可否を規定することができ、効率的なコピー制御が可能となる。
【０１１１】
また、ある制御情報片が制御対象とする全ての記録情報片がコピー禁止である場合には、直ちにコピー禁止である旨が使用者に告知される。従って、使用者はコピー不可であることを直ちに知ることができ、無駄なコピー作業等を行うことが無くなる。
【０１１２】
また、ある制御情報片が制御対象とする全ての記録情報片がコピー可能であることが検出された場合には、直ちに前記コピーの対象となる情報が出力される。従って、迅速にコピー作業を行うことができる。  
【０１１３】
また、全ての記録情報片がコピー禁止又はコピー可能である制御情報片を見つけた時点で直ちにコピーが開始され、又はコピー不能であることが使用者に告知されるので、効率的なコピー制御が可能となる。  
【０１１４】
また、最下位の制御情報片が制御対象とする複数の記録情報片の一部がコピー禁止であることを前記コピー情報検出手段が検出した場合は、コピー可能と規定されている記録情報片のみが出力される。従って、コピー可能な部分のみを確実にコピーすることができる。
【０１１５】
また、階層化されたそれぞれの制御情報片毎にコピーの可否を規定することができる。
【図面の簡単な説明】
【０１１６】
【図１】本発明の実施形態に係るＤＶＤの記録フォーマットを示す図である。
【図２】本発明の実施形態に係るＤＶＤの論理フォーマットを示す図である。
【図３】コピーフラグの記録位置及び設定例を示す図である。
【図４】ビデオコピー情報及びオーディオコピー情報の記録位置及び設定例を示す図である。
【図５】コピーフラグと、ビデオコピー情報との関係を示す図である。
【図６】本発明の実施形態に係るＤＶＤの記録装置の構成を示すブロック図である。
【図７】本発明の実施形態に係るＤＶＤの再生装置の構成を示すブロック図である。
【図８】本発明の実施形態に係るコピー制御方法の動作フローチャートである。
【図９】本発明の実施形態に係るコピーシステムの構成例を示すブロック図である。
【図１０】本発明の実施形態に係る他のコピーシステムの構成例を示すブロック図である。
【符号の説明】
【０１１７】
１…ＤＶＤ
２…ビデオマネージャ
３、６３…ＶＴＳ
１０…ＶＯＢ
１１…コントロールデータ
２０…セル
３０…ＶＯＢユニット
４１…ナビパック
４２…ビデオデータ
４３…オーディオデータ
４４…サブピクチャデータ
６０…プログラム
６１、６１Ａ、６１Ｂ…ＰＧＣ
６２…タイトル
７０…ＶＴＲ
７１…メモリ
７２…信号処理部
７３…ハードディスク装置
７４…ＦＤ装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
８７…ＶＢＶバッファ
８８…ビデオデコーダ
８９…サブピクチャバッファ
９０…サブピクチャデコーダ
９２…オーディオバッファ
９３…オーディオデコーダ
９４…ＰＣＩバッファ
９５…ＰＣＩデコーダ
９６…ハイライトバッファ
９７…ハイライトデコーダ
９８…入力部
９９…ディスプレイ
１００…システムコントローラ
１０１…ドライブコントローラ
１０２…スピンドルモータ
１０３…スライダモータ
Ｓ1 …記録装置
Ｓ2 …再生装置
ＤＫ…光ディスク
ＳＴ…キューシート
【図１】
2006079817.tif 000003
【図２】
2006079817.tif 000004
【図３】
2006079817.tif 000005
【図４】
2006079817.tif 000006
【図５】
2006079817.tif 000007
【図６】
2006079817.tif 000008
【図７】
2006079817.tif 000009
【図８】
2006079817.tif 000010
【図９】
2006079817.tif 000011
【図１０】
2006079817.tif 000012